(57)【要約】【課題】品質のよい製品を得る事が可能で、耐久性のあるダイカスト金型を提供することをその課題とする。【解決手段】固定型と、該固定型に対して移動可能で該固定型と共にキャビティを画成する可動型とを有し、射出スリーブ１２より供給される溶湯が湯押え２０にあたって該キャビティに流入してダイカスト製品Ｗが鋳造されるよう構成され、鋳造後、該湯押え２０が該ダイカスト製品Ｗに対してスライド移動可能に構成されているダイカスト金型において、該湯押え２０の該製品対向面２３ａには該スライド方向に対する抜き勾配αが設けられている。【選択図】  図２
2018153827.tif 000002
【特許請求の範囲】
【請求項１】
固定型と、該固定型に対して移動可能で該固定型と共にキャビティを画成する可動型とを有し、射出スリーブより供給される溶湯が湯押えにあたって該キャビティに流入してダイカスト製品が鋳造されるよう構成され、鋳造後、該湯押えが該ダイカスト製品に対してスライド移動可能に構成されているダイカスト金型において、該湯押えの該製品対向面には該スライド方向に対する抜き勾配が設けられていることを特徴とするダイカスト金型。
【請求項２】
該湯押えの製品対向面は該製品のビスケット部対向面とランナー部対向面とを有し、該ビスケット部対向面と該ランナー部対向面とを同一の抜き勾配としたことを特徴とする請求項１記載のダイカスト金型。
【請求項３】
該ランナー部対向面の抜き勾配を該ビスケット部対向面の抜き勾配よりも大きくしたことを特徴とする請求項２記載のダイカスト金型。
【発明の詳細な説明】
【技術分野】
【０００１】
本発明はダイカスト金型に関し、特に射出スリーブに対向して設けられ、溶湯がその表面を通過する湯押えを有するダイカスト金型に関するものである。
【背景技術】
【０００２】
アルミニウム合金やマグネシウム合金を鋳造するためのダイカスト金型が知られている。ダイカスト金型はそのキャビティ内に溶湯が流入して加圧、硬化されることにより、キャビティに倣った形状の製品を製造することができる。射出スリーブ内をプランジャーが摺動し、スリーブに対向した湯押えに当たって溶湯はキャビティ内に流入する。この湯押えには上下方向にスライド移動可能なものがあり、可動型の固定型に対する型開き後、湯押えが下降して製品が取り出されるタイプのものがある。特許文献１にはこのようなダイカスト金型の開示がある。
【０００３】
こうした従来の技術では、湯押えの下降時に該湯押えの製品対向面と製品との摺接により、製品にカジリ等が発生する可能性があり、他に金型（湯押え部も含む）も傷む可能性があった。また、射出時にこの製品対向面への溶湯による浸食で製品対向面が該スライド方向に対してアンダーカット形状となる（浸食部分に溶湯が入る）場合があり、結果として湯押えの下降時に製品や金型を傷める可能性があり、改善の余地があった。
【先行技術文献】
【特許文献】
【０００４】
【特許文献１】特開２００９−９０３５７号公報
【発明の概要】
【発明が解決しようとする課題】
【０００５】
本発明はこのような問題を解決するためになされたもので、品質のよい製品を得る事が可能で、耐久性のあるダイカスト金型を提供することを目的とする。
【課題を解決するための手段】
【０００６】
本発明は上記目的を達成するため、固定型と、該固定型に対して移動可能で該固定型と共にキャビティを画成する可動型とを有し、射出スリーブより供給される溶湯が湯押えにあたって該キャビティに流入してダイカスト製品が鋳造されるよう構成され、鋳造後、該湯押えが該ダイカスト製品に対してスライド移動可能に構成されているダイカスト金型において、該湯押えの該製品対向面には該スライド方向に対する抜き勾配が設けられていることを特徴としている。
【０００７】
また、該湯押えの製品対向面は該製品のビスケット部対向面とランナー部対向面とを有し、該ビスケット部対向面と該ランナー部対向面とを同一の抜き勾配としたことを特徴としている。
【０００８】
また、該ランナー部対向面の抜き勾配を該ビスケット部対向面の抜き勾配よりも大きくしたことを特徴としている。
【発明の効果】
【０００９】
本発明によれば、湯押えに抜き勾配が設けられることにより、スライド移動がスムーズになり、品質のよい製品を得る事が可能で、耐久性のあるダイカスト金型を提供することができる。
【図面の簡単な説明】
【００１０】
【図１】本発明に係るダイカスト金型の要部を示し、（ａ）は型閉じ状態を示す側面断面図であり、（ｂ）は（ａ）のＡ−Ａ断面図である。
【図２】本発明に係るダイカスト金型の要部を示す側面断面図であり、（ａ）は可動型が開いた状態を示し、（ｂ）は湯押えが下降した状態を示す。
【図３】本発明に係るダイカスト金型の第２の実施例の要部を示し、（ａ）は型閉じ状態を示す側面断面図であり、（ｂ）は（ａ）のＢ−Ｂ断面図である。
【図４】本発明に係るダイカスト金型の第２の実施例の要部を示す側面断面図であり、（ａ）は可動型が開いた状態を示し、（ｂ）は湯押えが下降した状態を示す。
【図５】（ａ）、（ｂ）共に、本発明に係るダイカスト金型の湯押えの他の実施例を示す側面断面図である。
【発明を実施するための形態】
【００１１】
以下、本発明の実施形態にかかるダイカスト金型について図１〜図５を参酌しつつ説明する。
【００１２】
図１は本発明に係るダイカスト金型の要部を示し、（ａ）は型閉じ状態を示す側面断面図であり、（ｂ）は（ａ）のＡ−Ａ断面図である。この金型は主に固定型、図示しない可動型、湯押え２０により構成されている。可動型の可動ダイスと固定型の固定ダイス１１とでキャビティが画成されることとなる。固定型の固定ホルダ１０には固定ダイス１１が埋設されている。固定ホルダ１０と固定ダイス１１との間には図１（ａ）中左右方向に延びる円筒状の射出スリーブ１２が固定されている。射出スリーブ１２内には図示しないラドルにより汲み出された溶湯が注湯され、図示しないプランジャーが射出スリーブ内を図２（ａ）中左方向に前進することにより、溶湯はキャビティ内に高圧で押し込まれ、アルミニウムダイカスト製品Ｗを得る事ができる。
【００１３】
湯押え２０は湯押えホルダ２１とこれに固定される湯押えダイス２２とで構成されており、両者にまたがって湯押え本体２３が形成されている。湯押え２０は可動型と一体で固定型に対して図１（ａ）中左右方向に移動可能に構成されている。また、湯押え２０は可動型に対して、図中上下方向にスライド移動可能に構成されている。湯押え本体２３の図１（ａ）中右端には製品対向面２３ａが形成されている。この製品対向面２３ａは湯押え２０の上下スライド移動方向に対する抜き勾配αを有している。本実施例ではこの角度は４度である。また、符号Ｗはキャビティ内で製造されるダイカスト製品の一部を示しており、厚肉のビスケット部Ｗ１と薄肉のランナー部Ｗ２とを有している。なお、抜き勾配αについては、ビスケット部Ｗ１やランナー部Ｗ２の大きさなどにより、１度〜１５度の範囲で任意に設定可能である。
【００１４】
本実施例のダイカスト金型の型開きから製品の取り出しについて説明する。キャビティへの溶湯注入後、所定時間経過したら図示しない可動型が図２中左方向へ移動することにより、湯押え２０は図２（ａ）のように固定ホルダ１０等から離れる。次に湯押え２０は可動型に対してスライド移動して下降し、図２（ｂ）のような状態となる。この時、湯押え本体２３の製品対向面２３ａの抜き勾配αにより、湯押え２０は製品Ｗとスムーズに摺接しながら離れることとなり、製品Ｗへの悪影響を及ぼすことがなく、品質のよいダイカスト製品を得る事ができる。また、金型への悪影響（過度の負荷）もないので耐久性が増す。
【００１５】
図３、４に本発明に係るダイカスト金型の第２実施例を示す。前述の実施例と同様の構成については説明を省略する。湯押え本体２３は固定型側に膨出した形状をしていることにより、２つの製品対向面２３ａ１と２３ａ２を有することとなる。下側の製品対向面２３ａ１はビスケット部Ｗ１に対向し、上側の製品対向面２３ａ２はランナー部Ｗ２に対向することとなる。下側の製品対向面２３ａ１の抜き勾配α１と上側の製品対向面２３ａ２の抜き勾配α２とは同一角度に構成されている。本実施例も前述と同様、抜き勾配α１、α２により、湯押え２０は製品Ｗとスムーズに摺接しながら離れることとなり、製品Ｗへの悪影響を及ぼすことがなく、品質のよいダイカスト製品を得る事ができる。また、金型への悪影響もないので耐久性が増す。
【００１６】
図５に本発明に係るダイカスト金型の湯押え部の他の実施例を示す。本実施例の湯押え本体２３も第２実施例と同様、固定型側に膨出した形状をしている。図５（ａ）は下側の製品対向面２３ａ３の抜き勾配α３が上側の製品対向面２３ａ４の抜き勾配α４よりも小さく構成されている。また、図５（ｂ）は下側の製品対向面２３ａ５の抜き勾配α５が上側の製品対向面２３ａ６の抜き勾配α６よりも大きく構成されている。これらの勾配については、湯道の大きさや鋳造条件等により生じる製品Ｗと湯押え２０とのスライド抵抗によって任意の勾配を設定すればよい。
【００１７】
なお、本発明は、前記実施形態に限定されるものではなく、本発明の要旨を逸脱しない範囲で種々の変更が可能である。例えば前述の実施形態では、製品Ｗの材料としてアルミニウムが用いられていたが、これに限らず、マグネシウムダイカストや亜鉛ダイカストでもよい。
【産業上の利用可能性】
【００１８】
本発明に係るダイカスト金型は、湯押えがダイカスト製品に対してスライド移動可能に構成されたダイカスト金型において極めて有用である。
【符号の説明】
【００１９】
１０          ：固定ホルダ
１１          ：固定ダイス
１２          ：射出スリーブ
２０          ：湯押え
２１          ：湯押えホルダ
２２          ：湯押えダイス
２３          ：湯押え本体
２３ａ        ：製品対向面
２３ａ１      ：下側製品対向面
２３ａ２      ：上側製品対向面
２３ａ３      ：下側製品対向面
２３ａ４      ：上側製品対向面
２３ａ５      ：下側製品対向面
２３ａ６      ：上側製品対向面
Ｗ            ：ダイカスト製品
Ｗ１          ：ビスケット部
Ｗ２          ：ランナー部
【図１】
2018153827.tif 000003
【図２】
2018153827.tif 000004
【図３】
2018153827.tif 000005
【図４】
2018153827.tif 000006
【図５】
2018153827.tif 000007